(57)【要約】【課題】  電子制御ユニットに異常が発生した場合に確実に警告灯を点灯させる。【解決手段】  警告灯表示器１０は、電子制御ユニット２０の各機能に対応して設けられ、電圧が印加されることによって発光する警告灯ＰＤ１，ＰＤ２と、当該警告灯ＰＤ１，ＰＤ２ごとに設けられ、警告灯ＰＤ１，ＰＤ２に電圧を印加するオン状態と警告灯ＰＤ１，ＰＤ２に電圧を印加しないオフ状態とを切り換える駆動回路１２，１３と、電子制御ユニット２０の状態を監視して、異常を検出した場合に、駆動回路１２，１３をオン状態にして警告灯ＰＤ１，ＰＤ２に電圧を印加させるマイコン１１とを備える。このような警告灯表示器１０において、電子制御ユニット２０に存在しない機能に対応した警告灯ＰＤ１，ＰＤ２については、機能停止用電源ハーネス４３により、当該警告灯ＰＤ１，ＰＤ２への電圧の印加を停止する。【選択図】      図１
2005346346.tif 000002
【特許請求の範囲】
【請求項１】
複数の機能を有する電子制御ユニットの異常状態を通知する警告表示装置において、
前記電子制御ユニットの各機能に対応して設けられ、電圧が印加されることによって発光する複数の警告灯と、
前記警告灯ごとに設けられ、前記警告灯に電圧を印加するオン状態と前記警告灯に電圧を印加しないオフ状態とを切り換える複数の駆動回路と、
前記電子制御ユニットの状態を監視して、当該電子制御ユニットの異常を検出した場合に、前記駆動回路をオン状態にして前記警告灯に電圧を印加させる制御手段と、
前記電子制御ユニットに存在しない機能に対応した前記警告灯への電圧の印加を停止する機能停止手段と
を備えることを特徴とする警告表示装置。
【請求項２】
前記機能停止手段は、前記警告灯のアノード側に接続された電源と、前記警告灯のカソード側とを接続したハーネスであることを特徴とする請求項１に記載の警告表示装置。
【請求項３】
前記機能停止手段は、
前記警告灯のカソード側に接続されたスイッチと、
前記警告灯のアノード側に接続された電源と接地端子とを接続し、前記スイッチを遮断状態に保持するハーネスと
を備えることを特徴とする請求項１に記載の警告表示装置。
【発明の詳細な説明】
【技術分野】
【０００１】
本発明は、電子制御ユニットが異常な動作をしている場合に、警告灯を発光させてユーザに通知するための警告表示装置に関する。
【背景技術】
【０００２】
従来より、車両に搭載された電子制御ユニットの動作に異常が発生した場合に、当該異常をユーザに通知する技術が、例えば下記の特許文献１などで知られている。
【０００３】
この特許文献１に記載された車両用異常報知装置では、検査対象であるエアバッグの電子制御ユニットから有効な消灯信号を受信している場合には警告灯を点灯させずに消灯した状態に保持し、電子制御ユニットから有効な消灯信号を受信できなくなった時に警告灯を点灯させている。
【０００４】
このように、電子制御ユニットの異常を報知する装置としては、図３に示すように、メータ機器に内蔵された警告灯表示器１１０と電子制御ユニット１２０とを通信ハーネス１３０によって接続し、警告灯表示器１１０により、電源１４０からの電力供給を受けて、電子制御ユニット１２０の各機能に対応した警告灯ＰＤ１、ＰＤ２を点灯又は消灯制御する。この警告灯表示器１１０は、電源ハーネスを介して、電源１４０とマイコン１１１、警告灯ＰＤ１、ＰＤ２とが接続され、更に、警告灯ＰＤ１と電流制御用抵抗Ｒ１と駆動回路ＴＲ１とが電源１４０に対して直列接続され、更に、警告灯ＰＤ２と電流制御用抵抗Ｒ２と駆動回路ＴＲ２とが電源１４０に対して直列接続されて構成されている。
【０００５】
このような警告灯表示器１１０は、マイコン１１１によって電子制御ユニット１２０と通信を行うことにより、電子制御ユニット１２０の動作状態を監視し、電子制御ユニット１２０が正常動作している場合には、警告灯ＰＤ１、ＰＤ２を消灯させている。
【０００６】
これに対し、電子制御ユニット１２０が異常停止した場合、その旨をマイコン１１１で認識し、警告灯ＰＤ１及びＰＤ２を点灯制御する。このとき、マイコン１１１は、警告灯ＰＤ１に対応した機能が異常停止した場合には、駆動回路ＴＲ１及び駆動回路ＴＲ２をオン状態にすることにより警告灯ＰＤ１及び警告灯ＰＤ２に電流供給して点灯状態とする。
【０００７】
【特許文献１】特開２００３−２３１４５５号公報
【発明の開示】
【発明が解決しようとする課題】
【０００８】
ところで、複数の機能を有する電子制御ユニットを異なる仕様の車両に搭載する場合に、車両の仕様やグレードによって、電子制御ユニットの有する機能のうち、使用する機能と使用しない機能とがある。しかしながら、上述の車両用異常報知装置をメータ機器に適用した場合には、当該メータ機器では、電子制御ユニットの各機能の有無を判断することができないために、各車両によって種類の異なるメータ機器を用意する必要がある。
【０００９】
これに対し、マイコン１１１によって電子制御ユニット１２０の機能の有無を判断できなくても、例えば図４に示すように、警告灯ＰＤ１に対応した機能を電子制御ユニット１２０が有している場合には電源１４０と警告灯ＰＤ１とを接続するハーネス１５０を設け、警告灯ＰＤ１に対応した機能を電子制御ユニット１２０が有していない場合には、ハーネス１５０を設けないように構成する。これにより、警告灯ＰＤ１の使用又は不使用を区別することができる。
【００１０】
しかし、ハーネス１５０を設けた構成とした場合、ハーネス１５０の断線や地絡に対する信頼性を十分に確保する必要がある。すなわち、断線や地絡が発生すると、電子制御ユニット１２０の機能に異常が発生した場合に電源１４０から警告灯ＰＤ１への電力供給が不可能となり、警告灯ＰＤ１の点灯ができなくなってしまい、各機能に対応した警告灯の点灯及び消灯を制御することができなかった。
【００１１】
そこで、本発明は、上述した実情に鑑みて提案されたものであり、電子制御ユニットに異常が発生した場合に確実に警告灯を点灯させることができる警告表示装置を提供することを目的とする。
【課題を解決するための手段】
【００１２】
本発明は、複数の機能を有する電子制御ユニットの異常状態を通知する警告表示装置であって、電子制御ユニットの各機能に対応して設けられ、電圧が印加されることによって発光する複数の警告灯と、警告灯ごとに設けられ、警告灯に電圧を印加するオン状態と警告灯に電圧を印加しないオフ状態とを切り換える複数の駆動回路と、電子制御ユニットの状態を監視して、当該電子制御ユニットの異常を検出した場合に、駆動回路をオン状態にして警告灯に電圧を印加させる制御手段とを備える。このような警告表示装置において、電子制御ユニットに存在しない機能に対応した警告灯については、機能停止手段により、当該警告灯への電圧の印加を停止することにより、上述の課題を解決する。
【発明の効果】
【００１３】
本発明に係る警告表示装置によれば、電子制御ユニットに存在しない機能に対応した警告灯を設けた場合であっても、当該警告灯を点灯させる動作を停止することができる。したがって、警告灯と電源とを接続する製造時に、電子制御ユニットが使用しない機能に対応して機能停止手段を設けるのみで、警告灯の発光を停止することができ、電子制御ユニットに異常が発生した場合に確実に警告灯を点灯させることができる。
【発明を実施するための最良の形態】
【００１４】
以下、本発明の実施の形態について図面を参照して説明する。
【００１５】
［第１実施形態］
本発明は、例えば図１に示すように構成された警告灯表示器１０に適用される。
【００１６】
この警告灯表示器１０は、例えば車両のメータ機器に内蔵され、電子制御ユニット２０と通信ハーネス３０によって接続されて構成されている。この警告灯表示器１０は、電子制御ユニット２０の備える機能に異常が発生した場合に、その旨をユーザに通知する。
【００１７】
電子制御ユニット２０は、例えば、ＡＢＳ（Anti-lock Brake System）、ＶＤＣ（Vehicle Dynamics control）、ＢＣＭ（Body Control Module）、ＴＰＭＳ（Tire Pressure Monitoring System：タイヤ空気圧モニタリングシステム）、エアバッグ制御機能等の複数の機能を備えたＥＣＵ（Electric Control Unit）である。このような電子制御ユニット２０は、搭載される車両の仕様やグレードによって、使用される機能と使用されない機能とに区分され、使用されることが設定された機能のみを実行する。したがって、電子制御ユニット２０は、車両の仕様やグレードに拘わらず共通して使用することができるように構成されている。
【００１８】
これに対し、メータ機器は、電子制御ユニット２０の機能に対応した警告表示部が設けられて車両に搭載され、警告灯表示器１０は、電子制御ユニット２０の全機能に対応した警告灯ＰＤが設けられる。なお、以下では、２つの機能を備えた電子制御ユニット２０又は１つの機能を備えた電子制御ユニット２０が警告灯表示器１０と接続されるものとして説明し、警告灯表示器１０として、図１に示すように、２つの警告灯ＰＤ１，ＰＤ２が設けられている場合について説明する。
【００１９】
警告灯表示器１０は、通信ハーネス３０を介して電子制御ユニット２０と接続されたマイコン１１と、電子制御ユニット２０の２つの機能に対応して設けられた２つの警告表示回路（第１警告表示回路、第２警告表示回路）とを備える。これらマイコン１１、第１警告表示回路及び第２警告表示回路は、電源ハーネス４１の接続点ａから分岐して電源４０に対して並列接続され、それぞれに電流が流れて動作する構成となっている。
【００２０】
第１警告表示回路は、警告灯であるフォトダイオードＰＤ１（警告灯ＰＤ１）、電流制御用抵抗Ｒ１及び駆動回路１２が直列接続され、トランジスタスイッチである駆動回路１２が接地端子４２と接続されて構成されている。同様に、第２警告表示回路は、警告灯であるフォトダイオードＰＤ２（警告灯ＰＤ２）、電流制御用抵抗Ｒ２及び駆動回路１３が直列接続され、トランジスタスイッチである駆動回路１３が接地端子４２と接続されて構成されている。
【００２１】
このような第１警告表示回路及び第２警告表示回路は、駆動回路１２及び駆動回路１３がマイコン１１と接続され、当該マイコン１１からの制御信号により駆動回路１２及び駆動回路１３の状態が導通状態と遮断状態とで切り換えられる。
【００２２】
マイコン１１は、電子制御ユニット２０との通信状態を監視し、電子制御ユニット２０との通信が途絶した場合、すなわち電子制御ユニット２０の機能に異常が発生した場合に、駆動回路１２及び駆動回路１３を導通状態（オン状態）とする。これにより、電源４０からの電流が警告灯ＰＤ１及び警告灯ＰＤ２のアノードからカソードに流れて発光する状態となる。また、この警告灯ＰＤ１及び警告灯ＰＤ２に流れる電流は、電流制御用抵抗Ｒ１及び電流制御用抵抗Ｒ２によってそれぞれ制限される。このようなマイコン１１は、警告灯ＰＤ１及び警告灯ＰＤ２に対する電圧の印加を制御する制御手段として機能する。
【００２３】
このような警告灯表示器１０は、電子制御ユニット２０の２つの機能のうち、使用されない１つの機能に対応した第１警告表示回路に、電源ハーネス４１から分岐した機能停止用電源ハーネス４３が接続されている。この機能停止用電源ハーネス４３は、一端が電源ハーネス４１の接続点ｂに接続され、他端が警告灯ＰＤ１のカソード側、すなわち警告灯ＰＤ１と電流制御用抵抗Ｒ１との間の接続点ｃに接続されている。
【００２４】
このように機能停止用電源ハーネス４３が設けられた警告灯表示器１０において、電子制御ユニット２０の異常をマイコン１１で検出して駆動回路１２及び駆動回路１３を導通状態とした場合、電流制御用抵抗Ｒ１の抵抗値Ｒａ、駆動回路１２の電圧降下Ｖａｄと、接続点ｃの電位Ｖａとから、駆動回路１２には、下記の式で表現される電流Ｉａが流れる。
【００２５】
Ｉａ＝（Ｖａ−Ｖａｄ）／Ｒａ
このとき、接続点ａの電位Ｖｉと接続点ｃの電位Ｖａとは同電位であり、警告灯ＰＤ１には電流が流れず、発光しないことになる。これにより、電子制御ユニット２０が持っている機能のみに対応した警告灯ＰＤ２のみを発光させ、電子制御ユニット２０が持っていない機能に対応した警告灯ＰＤ１を発光させない状態となる。
【００２６】
［第１実施形態の効果］
以上詳細に説明したように、本発明を適用した第１実施形態に係る警告灯表示器１０によれば、電子制御ユニット２０が使用しない機能に対応した警告灯ＰＤ１を設けた場合であっても、機能停止用電源ハーネス４３を設けることにより、当該警告灯ＰＤ１を点灯させる動作を停止することができる。したがって、警告灯表示器１０と電源４０とを接続する製造時に、電子制御ユニット２０が使用しない機能に対応した警告表示回路に機能停止用電源ハーネス４３を設けるのみで、当該警告表示回路の警告灯ＰＤの発光を停止することができ、電子制御ユニット２０に異常が発生した場合に確実に警告灯ＰＤを点灯させることができる。
【００２７】
したがって、例えば機能停止用電源ハーネス４３に断線や地絡が発生した場合であっても、当該機能停止用電源ハーネス４３が接続された警告表示回路の警告灯ＰＤが点灯するのみであって、電子制御ユニット２０の異常発生時に警告灯ＰＤが点灯しないという事態を回避することができ、信頼性を向上させることができる。すなわち、この警告灯表示器１０によれば、上述の図４に示したように、異常が発生した時に点灯させるべき警告灯ＰＤに電源４０と接続するハーネスを設けた場合のように、当該ハーネスに断線等が発生した時に、電子制御ユニットの異常がマイコンで検出されても警告灯ＰＤを点灯させることができないという事態を回避することができる。
【００２８】
［第２実施形態］
つぎに、第２実施形態に係る警告灯表示器１０について説明する。なお、上述の第１実施形態と同様の部分については同一符号を付することによりその詳細な説明を省略する。
【００２９】
この警告灯表示器１０は、図２に示すように、点灯を停止させるための機能停止手段として、電流制御用抵抗Ｒ１と駆動回路１２との間にスイッチであるオンオフ回路２１を設け、警告灯ＰＤ１のアノード側であって電源４０とオンオフ回路２１とを接続する接続点ｄに接続された機能停止用ハーネス２２を備えたことを特徴とするものである。
【００３０】
このような警告灯表示器１０は、機能停止用ハーネス２２の一端が、オンオフ回路２１、抵抗Ｒ１１及び電源４０と接続され、機能停止用ハーネス２２の他端が、接地端子２３と接続されている。このように構成した場合、通常、電源４０からの電流が接地端子２３に流れるためオンオフ回路２１が遮断状態となっているので、マイコン１１によって駆動回路１２を導通状態にした場合であっても、警告灯ＰＤ１に電流が流れず、点灯を停止させることができる。
【００３１】
一方、警告灯ＰＤ１の機能を停止させない場合であって、接続点ｄから機能停止用ハーネス２２及び接地端子２３を設けていない場合には、オンオフ回路２１の電圧降下分に相当する電流分が警告灯ＰＤ１に流れないことになる。すなわち、警告灯ＰＤ１に流れる電流は、オンオフ回路２１の電圧降下分をＶon/offとすると、
Ｉａ＝（Ｖｉ−Ｖａｄ−Ｖon/off）／Ｒａ
となる。
【００３２】
以上詳細に説明したように、本発明を適用した第２実施形態に係る警告灯表示器１０によれば、駆動回路１２に流れる電流を遮断するオンオフ回路２１と、オンオフ回路２１を遮断状態に保持する機能停止用ハーネス２２及び接地端子２３とを設けることにより、警告灯ＰＤを点灯させる動作を停止することができる。したがって、警告灯表示器１０と電源４０とを接続する製造時に、電子制御ユニット２０が使用しない機能に対応した警告表示回路にオンオフ回路２１、機能停止用ハーネス２２及び接地端子２３を設けるのみで、当該警告表示回路の警告灯ＰＤの発光を停止することができる。
【００３３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３４】
【図１】本発明を適用した第１実施形態に係る警告灯表示器の構成を示す回路図である。
【図２】本発明を適用した第２実施形態に係る警告灯表示器の構成を示す回路図である。
【図３】従来の警告灯表示器の構成を示す回路図である。
【図４】従来の技術に対する課題を説明するための回路図である。
【符号の説明】
【００３５】
１０  警告灯表示器
１１  マイコン
１２，１３  駆動回路
２０  電子制御ユニット
２１  オンオフ回路
２２  機能停止用ハーネス
３０  通信ハーネス
４０  電源
４１  電源ハーネス
４２  接地端子
４３  機能停止用電源ハーネス
ＰＤ１，ＰＤ２  警告灯
Ｒ１，Ｒ２  電流制御用抵抗
【図１】
2005346346.tif 000003
【図２】
2005346346.tif 000004
【図３】
2005346346.tif 000005
【図４】
2005346346.tif 000006